(57)【要約】【課題】海洋深層水を大気に接触させることなく容器に充填する。【解決手段】接続部４によって容器３の外栓３１１を滅菌部２の滅菌室２１に水密状態で接続し、噴出ノズル２２ａから滅菌室２１の内部に蒸気を噴出して受容部１の吐出口１１ｃおよび口栓３１を滅菌し、開栓部５によって外栓３１１と内栓３１２とを離反して口栓３１を開放し、開閉弁１２を開放して深海から受入室１１に直接受け入れた海洋深層水を吐出して容器３の充填部３２に充填する。そして、開栓部５によって口栓３１を閉塞して開閉弁１２を閉じ、噴出ノズル２２ａから滅菌室２１の内部に蒸気を噴出して受容部１の吐出口１１ｃおよび口栓３１を滅菌してから容器３を取り外す。この結果、海洋深層水を大気に接触させることなく容器３に充填できる。さらに、薬剤を用いない蒸気による滅菌によって海洋深層水中の溶存ガスや細菌を原水に近い状態で容器に充填できる。【選択図】        図３
2006232291.tif 000002
【特許請求の範囲】
【請求項１】
深海から取水した海洋深層水を直接受け入れる受入室と当該受入室から海洋深層水を吐出する吐出口の開閉を行う開閉弁とを有した受容部と、
前記受容部の吐出口に水密状態で接続した滅菌室と当該滅菌室内に蒸気を噴出する噴出ノズルとを有した滅菌部と、
筒状の外栓と当該外栓の開口を閉塞する内栓とからなる口栓を有して前記外栓と内栓との間に充填部を設けた容器と、
前記滅菌部の滅菌室に対して前記容器の外栓を水密状態で接続する接続部と、
前記容器の内栓に係合し当該内栓を外栓に対して離着する開栓部と
を備えたことを特徴とする海洋深層水充填装置。
【請求項２】
前記開栓部は、先端の尖ったロッドの進退によって拡縮するクリップを有した係合機構と、当該係合機構を移動することで前記内栓を外栓に対して離着する離着機構とからなることを特徴とする請求項１に記載の海洋深層水充填装置。
【請求項３】
前記受容部に対して深海から取水した海洋深層水を圧送する圧送部を有し、当該圧送部によって前記受容部から前記滅菌通路を通して前記容器に海洋深層水を移送することを特徴とする請求項１または２に記載の海洋深層水充填装置。
【発明の詳細な説明】
【技術分野】
【０００１】
本発明は、海洋深層水を所定の容器に充填する海洋深層水充填装置に関するものである。
【背景技術】
【０００２】
近年、海洋深層水は、清浄かつミネラル分が豊富であることから飲料水などに利用されており、従来では、海洋深層水を原料とする飲料水およびその製造装置が開示されている。ここでは、海洋深層水から、逆浸透膜分離した透過水と、電気透析装置により生成した高ミネラル水とを所定の配合割合で混合したミネラル水が記載してある。このミネラル水の製造方法としては、透過水と高ミネラル水とを混合タンク内で攪拌混合してから、プレート殺菌装置を使用して殺菌する。ミネラル水は、洗浄されたペットボトルなどに充填して封栓される（例えば、特許文献１参照）。
【０００３】
また、従来、口栓付きパウチに内容物の充填処理を行うため、口栓付きパウチの滅菌方法、無菌充填システムが開示されている。ここでは、開口状態の口栓付きパウチを複数収容した耐圧容器に水蒸気を導入してパウチを滅菌し、耐圧容器内の水蒸気を排出後、耐圧容器内を真空引きしてパウチを乾燥させる。その後耐圧容器内に無菌化されたエアを導入して当該耐圧容器を無菌チャンバーに接続する。無菌チャンバーには、パウチ内に内容物を充填する充填機と、パウチへ口栓を取り付ける口栓取付装置とが収容してあり、当該無菌チャンバー内にて、滅菌されたパウチへの内容物の充填および口栓の取り付けを行う（例えば、特許文献２参照）。
【０００４】
【特許文献１】特開２００２−３３５９２３号公報
【特許文献２】特開２００１−３５４２１３号公報
【発明の開示】
【発明が解決しようとする課題】
【０００５】
ところで、特に、海洋深層水のガス分析や細菌分析、その他精密分析などにおいては、当該海洋深層水が大気に接触する事態を防ぐ必要がある。海洋深層水が大気に接触すると溶存ガス濃度が大気雰囲気に近くなって海洋深層水の溶存ガス組成が変化したり、細菌が増殖するなど、大気接触による影響が問題となる。すなわち、海洋深層水を大気に接触させることなく分析に至り搬送する容器に充填することが必要である。
【０００６】
特許文献１においては、深海から取水した海洋深層水を大気に接触させることなく受け入れる記載はない。
【０００７】
特許文献２においては、耐圧容器によってパウチの滅菌および無菌チャンバー内への搬送を行い、無菌チャンバー内でパウチへの内容物の充填を行っている。しかし、耐圧容器や無菌チャンバーなどの大がかりな構成によってコストが嵩むため、ガス分析や細菌分析、その他精密分析などに係る海洋深層水の充填においては好ましくない。
【０００８】
本発明は、上記実情に鑑みて、簡素な構成で海洋深層水を大気に接触させることなく容器に充填することができる海洋深層水充填装置を提供することを目的とする。
【課題を解決するための手段】
【０００９】
上記の目的を達成するために、本発明の請求項１に係る海洋深層水充填装置は、深海から取水した海洋深層水を直接受け入れる受入室と当該受入室から海洋深層水を吐出する吐出口の開閉を行う開閉弁とを有した受容部と、前記受容部の吐出口に水密状態で接続した滅菌室と当該滅菌室内に蒸気を噴出する噴出ノズルとを有した滅菌部と、筒状の外栓と当該外栓の開口を閉塞する内栓とからなる口栓を有して前記外栓と内栓との間に充填部を設けた容器と、前記滅菌部の滅菌室に対して前記容器の外栓を水密状態で接続する接続部と、前記容器の内栓に係合し当該内栓を外栓に対して離着する開栓部とを備えたことを特徴とする。
【００１０】
本発明の請求項２に係る海洋深層水充填装置は、上記請求項１において、前記開栓部は、先端の尖ったロッドの進退によって拡縮するクリップを有した係合機構と、当該係合機構を移動することで前記内栓を外栓に対して離着する離着機構とからなることを特徴とする。
【００１１】
本発明の請求項３に係る海洋深層水充填装置は、上記請求項１または２において、前記受容部に対して深海から取水した海洋深層水を圧送する圧送部を有し、当該圧送部によって前記受容部から前記滅菌通路を通して前記容器に海洋深層水を移送することを特徴とする。
【発明の効果】
【００１２】
本発明に係る海洋深層水充填装置は、接続部によって容器の口栓（外栓）を滅菌部の滅菌室に水密状態で接続し、噴出ノズルから滅菌室の内部に蒸気を噴出して受容部の吐出口および容器の口栓を滅菌し、開栓部によって容器の外栓と内栓とを離反して口栓を開放し、開閉弁を開放して深海から受入室に直接受け入れた海洋深層水を吐出して容器の充填部に充填する。そして、開栓部によって口栓を閉塞して開閉弁を閉じ、噴出ノズルから滅菌室の内部に蒸気を噴出して受容部の吐出口および容器の口栓を滅菌してから容器を取り外す。この結果、海洋深層水を大気に接触させることなく容器に充填することができる。さらに、薬剤を用いない蒸気による滅菌であるため、海洋深層水中の溶存ガスや細菌を原水に近い状態で容器に充填することができる。また、受容部に対して深海から取水した海洋深層水を圧送する圧送部によって容器に海洋深層水を移送するため、深海から取り出した海洋深層水をタンクなどに貯留することがないので、海洋深層水中の溶存ガスや細菌を原水に近い状態で容器に充填することができる。したがって本発明の海洋深層水充填装置は、海洋深層水を精密に分析・評価する際の海洋深層水の原水供給に有用である。
【発明を実施するための最良の形態】
【００１３】
以下に添付図面を参照して、本発明に係る海洋深層水充填装置の好適な実施の形態を詳細に説明する。なお、この実施の形態によりこの発明が限定されるものではない。
【００１４】
図１は本発明に係る海洋深層水充填装置の実施例を示す平面図、図２は図１に示す海洋深層水充填装置の側断面図、図３は図１に示す海洋深層水充填装置の部分拡大側断面図、図４は図１に示す海洋深層水充填装置を作業台に取り付けた状態を示す図である。
【００１５】
図１〜図３に示すように海洋深層水充填装置Ｍは、受容部１と、滅菌部２と、容器３と、接続部４と、開栓部５とを備えている。
【００１６】
受容部１は、受入室１１および開閉弁１２を有している。受入室１１は、深海から取水した海洋深層水を直接受け入れるものである。図３に示すように受入室１１は、中空の円筒状に形成してあり、その側部に取水口１１ａと排水口１１ｂとが対向して設けてある。取水口１１ａは海洋深層水を受入室１１の外部から取り入れ、排水口１１ｂは受入室１１に取り入れた海洋深層水を受入室１１の外部に排水する。すなわち、受入室１１は、海洋深層水を受け入れて一旦貯留した後に排水する部屋をなす。また、受入室１１を形成する筒体の一方の開口側には、開閉弁１２によって開閉される吐出口１１ｃが設けてある。さらに、受入室１１を形成する筒体の他方の開口側には、開閉弁１２を駆動する弁駆動機構１３が取り付けてある。
【００１７】
開閉弁１２は、吐出口１１ｃを開放して受入室１１に受け入れた海洋深層水を吐出口１１ｃから吐出させる一方で、吐出口１１ｃを閉塞して吐出口１１ｃからの海洋深層水の吐出を止めるためのものである。図３に示すように開閉弁１２は、吐出口１１ｃを開閉する弁体１２ａを先端に設けた弁杆１２ｂを有している。弁杆１２ｂは、弁駆動機構１３によって進退可能に設けてある。すなわち、弁駆動機構１３によって弁杆１２ｂを図３の矢印Ａ方向に移動することによって弁体１２ａが受入室１１の吐出口１１ｃを閉塞し、弁杆１２ｂを矢印Ｂ方向に移動することによって弁体１２ａが吐出口１１ｃを開放する。また、弁杆１２ｂの中途部分には、受入室１１の他方の開口側と弁駆動機構１３との間に介在して、受入室１１の他方の開口を水密に塞ぐ隔壁１２ｃが設けてある。この隔壁１２ｃは、可撓性を有しており弁杆１２ｂの移動に際して常に受入室１１の他方の開口を水密に塞ぐ。なお、弁駆動機構１３は、エアソレノイド、電磁ソレノイドなど弁杆１２ｂを進退させる機構であればよい。
【００１８】
滅菌部２は、受容部１における受入室１１の吐出口１１ｃ、および後述する容器３の口栓３１を蒸気によって滅菌するためのものである。図３に示すように滅菌部２は、滅菌室２１に蒸気入出部２２が設けてある。滅菌室２１は、中空の円筒状に形成してあり、その一方の開口側が吐出口１１ｃに対して水密状態で取り付けてある。滅菌室２１の他方の開口側は、容器３の口栓３１が水密状態で接続される。この滅菌室２１の他方の開口側には、口栓３１に当接するリング形状の止水部材２１ａが設けてある。さらに、滅菌室２１の他方の開口側周縁には、フランジ状に形成した第１接続片２１ｂが設けてある。蒸気入出部２２は、滅菌室２１の管路の側部に設けてある。この蒸気入出部２２は、滅菌室２１の管路の側部に対向して設けた噴出ノズル２２ａと排出ドレン２２ｂとを有している。蒸気入出部２２は、滅菌室２１の外部にて蒸気を生成し、この蒸気を滅菌室２１の内部に噴出ノズル２２ａから噴射し、その後蒸気を滅菌室２１の外部に排出ドレン２２ｂによって排出する。
【００１９】
容器３は、図３に示すように口栓３１と充填部３２とを有している。口栓３１は、外栓３１１および内栓３１２からなる。外栓３１１は、中空の円筒状に形成してあり、一方の開口側を開放して他方の開口側を充填部３２に水密に固着してある。また、外栓３１１の外周には、フランジ３１１ａが形成してある。内栓３１２は、円筒状の一方が閉塞してあり、他方の開口側を充填部３２に水密に固着してある。この内栓３１２は、外栓３１１に内装して外栓３１１の内壁に水密状態で嵌合することで、外栓３１１の開口を閉塞する。充填部３２は、防水性の軟質シートなどを袋状に形成してなる。充填部３２の袋状の表裏には、一対の穴部が形成してある。穴部の一方には、口栓３１の外栓３１１が水密に固着してある。また、穴部の他方には、口栓３１の内栓３１２が水密に固着してある。すなわち、容器３は、外栓３１１を内栓３１２で閉塞したときには、口栓３１が閉じて充填部３２の袋状の内部空間と充填部３２の外部とが遮断される。一方、外栓３１１から内栓３１２を外したときには、口栓３１が開いて充填部３２の袋状の内部空間と充填部３２の外部とが通じる。
【００２０】
接続部４は、滅菌部２における滅菌室２１の他方の開口側に対して容器３における口栓３１の外栓３１１を水密状態で接続するためのものである。図３に示すように接続部４は、クランプ４１とクランプ固定部材４２とを有している。クランプ４１は、円筒状に形成してあり、その一方の開口周縁にフランジ状に形成した第２接続片４１ａが設けてある。この第２接続片４１ａは、滅菌室２１の第１接続片２１ｂに対向する態様で設けてある。クランプ４１の円筒状の他方の開口側には、その開口を窄める態様で形成した係合片４１ｂが設けてある。この係合片４１ｂは、外栓３１１に設けたフランジ３１１ａに係合する。クランプ固定部材４２は、互いに対向した第１接続片２１ｂと第２接続片４１ａとに係合し、相互を固定するものである。なお、クランプ４１とクランプ固定部材４２とは、円筒状を半割にした２分割に形成してある。
【００２１】
開栓部５は、図１〜図３に示すように容器３における口栓３１の内栓３１２に係合する係合機構５１と、内栓３１２を外栓３１１に対して離着する離着機構５２とを有している。係合機構５１は、長手中空の円筒状に形成した基体５０の内部に拡張ロッド５１１を進退可能に挿通してある。基体５０の先端側には、クリップ５１２が設けてある。クリップ５１２は、複数（例えば２つ）に分割して形成してあり、その先端部５１２ａが内栓３１２の他方の開口内部に挿通可能に設けてある。このクリップ５１２は、それぞれ圧縮バネ５１３によって互いに近づく態様で設けてある。クリップ５１２同士が互いに対向する面には、基体５０の先端から基端に向けて漸次拡がるテーパ面５１２ｂが形成してある。このテーパ面５１２ｂには、拡張ロッド５１１の先端が当接する。拡張ロッド５１１の先端は、先端に向けて尖って形成してある。また、図１および図２に示すように基体５０の基端側には、拡張ロッド５１１を基体５０の長手方向に進退移動させるロッド駆動部５１４が設けてある。ロッド駆動部５１４は、例えばエアソレノイドなどからなる。すなわち、ロッド駆動部５１４を駆動して拡張ロッド５１１を基体５０の先端方向（図３の矢印Ｂ方向）に移動すると、その先端がテーパ面５１２ｂに当接することによって圧縮バネ５１３のバネ力に抗してクリップ５１２同士を離反させる。このため、クリップ５１２の先端部５１２ａが内栓３１２の内壁に当接して当該内栓３１２に係合することになる。一方、ロッド駆動部５１４を駆動して拡張ロッド５１１を基体５０の基端方向（図３の矢印Ａ方向）に移動すると、その先端がテーパ面５１２ｂから退くことによって圧縮バネ５１３のバネ力によりクリップ５１２同士を近接させる。このため、クリップ５１２の先端部５１２ａが内栓３１２の内壁から離れて当該内栓３１２の係合から外れることになる。
【００２２】
離着機構５２は、図１および図２に示すように基体５０の基端側に設けてあり、支持ブロック５２１とハンドル５２２とを有している。支持ブロック５２１は、基体５０の回転を防ぎつつ長手方向に移動可能に基体５０を挿通してある。ハンドル５２２は、基体５０の外周面に設けた雄ネジ５０ａに螺合する雌ネジ５２２ａが形成してある。ハンドル５２２は、円盤状に形成してあり、基体５０の中心軸線を中心として回転可能に支持ブロック５２１に設けてある。また、ハンドル５２２の一側面には、把手部５２２ｂが設けてある。すなわち、ハンドル５２２を回すことによって支持ブロック５２１に支持された基体５０が長手方向に移動することになる。
【００２３】
上記海洋深層水充填装置Ｍは、受容部１、滅菌部２および接続部４が第１ユニットを構成し、開栓部５が第２ユニットを構成している。そして、図４に示すように作業台６に対して第１ユニットである受容部１の弁駆動機構１３と、第２ユニットである支持ブロック５２１とがそれぞれ固定される。また、作業台６には、海洋深層水充填装置Ｍの作動を制御する制御盤６１が設けてある。その他、図には明示しないが海洋深層水充填装置Ｍを作動するための蒸気発生器、コンプレッサおよび流量計などが用意してある。
【００２４】
図５は海洋深層水充填装置を用いた概略系統図である。図５に示すように深海には、海洋深層水取水口７１ａを深海の所定の深さに配置した海洋深層水取水管７１が設けてある。海洋深層水取水管７１は、開閉弁７２を介して取水ポンプ（圧送部）７３の吸込口に接続してある。取水ポンプ７３の吐出口側には、逆止弁７４および開閉弁７５を有した海洋深層水移送管７６が接続してある。この海洋深層水移送管７６は、開閉弁７７を介して海洋深層水充填装置Ｍにおける受容部１の受入室１１に設けた取水口１１ａに接続してある。また、海洋深層水移送管７６は開閉弁７８を介して海洋深層水充填装置Ｍとは別の装置や施設などに接続してある。
【００２５】
以下、上記海洋深層水充填装置Ｍの作用を説明する。図６〜１７は海洋深層水充填装置の作用を示す工程図である。
【００２６】
まず、海洋深層水充填装置Ｍに容器３を装着する。容器３の装着に際し、当該容器３は、充填部３２の内部が予め滅菌されて真空引きしてあり、外栓３１１と内栓３１２とが予め滅菌された状態で嵌合してある。また、接続部４は、外してある。また、受容部１において、吐出口１１ｃは弁体１２ａによって閉塞されている。さらに、受容部１において、受入室１１には海洋深層水が至っているが取水口１１ａから排水口１１ｂへの流動はない。この状態において、図６に示すように滅菌部２から開栓部５を離反させた間に容器３を運び、口栓３１の内栓３１２の内部に、開栓部５における係合機構５１のクリップ５１２の先端部５１２ａを差し込む。滅菌部２から開栓部５を離反させる場合には、ハンドル５２２を回すことで基体５０が滅菌部２から離れる。そして、図７に示すようにロッド駆動部５１４を駆動してクリップ５１２の先端部５１２ａを内栓３１２の内壁に係合させる。そして、図８に示すようにハンドル５２２を回して基体５０を滅菌部２に近づけることによって外栓３１１を滅菌部２の止水部材２１ａに押圧させる。そして、図９に示すように接続部４のクランプ４１を外栓３１１のフランジ３１１ａに係合してクランプ固定部材４２で固定する。これにより、滅菌室２１の他方の開口側に外栓３１１が水密状態で接続された形態で滅菌部２に容器３が装着されることになる。
【００２７】
次に、滅菌を行う。図１０に示すように滅菌室２１の内部に噴出ノズル２２ａから蒸気を噴出しつつ、排出ドレン２２ｂで滅菌室２１の内部の蒸気を排出する。これを所定時間（数分）継続した後に蒸気の噴出を止めて噴出ノズル２２ａおよび排出ドレン２２ｂの弁（図示せず）を閉める。これにより、弁体１２ａによって閉塞されている吐出口１１ｃの滅菌室２１側、滅菌室２１の内部、滅菌室２１の内側に表出している外栓３１１および内栓３１２の部位が蒸気によって滅菌された状態で滅菌室２１が密閉されることになる。
【００２８】
次に、容器３に海洋深層水を充填する。図１１に示すようにハンドル５２２を回して滅菌部２から開栓部５を離反させる。外栓３１１は、接続部４によって滅菌部２側に接続してあるため、内栓３１２のみが開栓部５とともに離反する。すなわち、口栓３１が開放することになる。このとき、外栓３１１が滅菌室２１に接続しているので、容器３の充填部３２の内部が大気と接触することなく滅菌室２１に通じることになる。そして、取水ポンプ７３を稼働して海洋深層水を取水口１１ａから排水口１１ｂに流動させて受入室１１に通して、図１２に示すように弁駆動機構１３によって開閉弁１２を駆動して吐出口１１ｃを開放させる。これにより、受入室１１から滅菌室２１を経て容器３の充填部３２の内部に海洋深層水が充填される。そして、所定流量の海洋深層水が充填部３２に充填されたときに、弁駆動機構１３によって開閉弁１２を駆動して吐出口１１ｃを閉塞し、取水ポンプ７３を止めて取水口１１ａから排水口１１ｂへの海洋深層水の流動を止める。そして、図１３に示すようにハンドル５２２を回して滅菌部２に開栓部５を近づける。すなわち、外栓３１１に内栓３１２が水密状態で嵌合して口栓３１が閉塞することになる。
【００２９】
次に、滅菌を行う。上記滅菌と同様に図１４に示すように滅菌室２１の内部に噴出ノズル２２ａから蒸気を噴出しつつ、排出ドレン２２ｂで滅菌室２１の内部の蒸気を排出する。これを所定時間（数分）継続した後に蒸気の噴出を止めて噴出ノズル２２ａおよび排出ドレン２２ｂの弁（図示せず）を閉める。これにより、弁体１２ａによって閉塞されている吐出口１１ｃの滅菌室２１側、滅菌室２１の内部、滅菌室２１の内側に表出している外栓３１１および内栓３１２の部位が蒸気によって滅菌された状態で滅菌室２１が密閉されることになる。
【００３０】
最後に、海洋深層水充填装置Ｍから容器３を取り外す。図１５に示すようにロッド駆動部５１４を駆動してクリップ５１２の先端部５１２ａを内栓３１２の内壁から離反させる。そして、図１６に示すようにハンドル５２２を回して滅菌部２から開栓部５を離反させる。このとき、クリップ５１２の先端部５１２ａを内栓３１２の内壁から離反させているため、内栓３１２が外栓３１１に嵌合したままで、開栓部５が内栓３１２から離反することになるそして、図１７に示すように接続部４のクランプ固定部材４２およびクランプ４１を外す。これにより、滅菌室２１の他方の開口側から容器３が外れることになる。
【００３１】
このように、上述した海洋深層水充填装置Ｍは、接続部４によって容器３の口栓３１（外栓３１１）を滅菌部２の滅菌室２１に水密状態で接続し、噴出ノズル２２ａから滅菌室２１の内部に蒸気を噴出して受容部１の吐出口１１ｃおよび口栓３１を滅菌し、開栓部５によって容器３の外栓３１１と内栓３１２とを離反して口栓３１を開放し、開閉弁１２を開放して深海から受入室１１に直接受け入れた海洋深層水を吐出して容器３の充填部３２に充填する。そして、開栓部５によって口栓３１を閉塞して開閉弁１２を閉じ、噴出ノズル２２ａから滅菌室２１の内部に蒸気を噴出して受容部１の吐出口１１ｃおよび口栓３１を滅菌してから容器３を取り外す。この結果、海洋深層水を大気に接触させることなく容器３に充填することが可能になる。さらに、薬剤を用いない蒸気による滅菌であるため、海洋深層水中の溶存ガスや細菌を原水に近い状態で容器に充填することが可能になる。したがって、海洋深層水を精密に分析・評価する際の海洋深層水の原水供給に有用である。
【００３２】
また、受容部１に対して深海から取水した海洋深層水を圧送する取水ポンプ７３によって容器３に海洋深層水を移送するため、深海から取り出した海洋深層水をタンクなどに貯留することがないので、海洋深層水中の溶存ガスや細菌を原水に近い状態で容器に充填することが可能になる。
【図面の簡単な説明】
【００３３】
【図１】本発明に係る海洋深層水充填装置の実施例を示す平面図である。
【図２】図１に示す海洋深層水充填装置の側断面図である。
【図３】図１に示す海洋深層水充填装置の部分拡大側断面図である。
【図４】図１に示す海洋深層水充填装置を作業台に取り付けた状態を示す図である。
【図５】海洋深層水充填装置を用いた概略系統図である。
【図６】海洋深層水充填装置の作用を示す工程図である。
【図７】海洋深層水充填装置の作用を示す工程図である。
【図８】海洋深層水充填装置の作用を示す工程図である。
【図９】海洋深層水充填装置の作用を示す工程図である。
【図１０】海洋深層水充填装置の作用を示す工程図である。
【図１１】海洋深層水充填装置の作用を示す工程図である。
【図１２】海洋深層水充填装置の作用を示す工程図である。
【図１３】海洋深層水充填装置の作用を示す工程図である。
【図１４】海洋深層水充填装置の作用を示す工程図である。
【図１５】海洋深層水充填装置の作用を示す工程図である。
【図１６】海洋深層水充填装置の作用を示す工程図である。
【図１７】海洋深層水充填装置の作用を示す工程図である。
【符号の説明】
【００３４】
１    受容部
１１    受入室
１１ａ    取水口
１１ｂ    排水口
１１ｃ    吐出口
１２    開閉弁
１２ａ    弁体
１２ｂ    弁杆
１２ｃ    隔壁
１３    弁駆動機構
２    滅菌部
２１    滅菌室
２１ａ    止水部材
２１ｂ    第１接続片
２２    蒸気入出部
２２ａ    噴出ノズル
２２ｂ    排出ドレン
３    容器
３１    口栓
３１１    外栓
３１１ａ    フランジ
３１２    内栓
３２    充填部
４    接続部
４１    クランプ
４１ａ    第２接続片
４１ｂ    係合片
４２    クランプ固定部材
５    開栓部
５０    基体
５０ａ    雄ネジ
５１    係合機構
５１１    拡張ロッド
５１２    クリップ
５１２ａ    先端部
５１２ｂ    テーパ面
５１３    圧縮バネ
５１４    ロッド駆動部
５２    離着機構
５２１    支持ブロック
５２２    ハンドル
５２２ａ    雌ネジ
５２２ｂ    把手部
６    作業台
６１    制御盤
７１    海洋深層水取水管
７１ａ    海洋深層水取水口
７２    開閉弁
７３    取水ポンプ
７４    逆止弁
７５    開閉弁
７６    海洋深層水移送管
７７    開閉弁
７８    開閉弁
Ｍ    海洋深層水充填装置
【図１】
2006232291.tif 000003
【図２】
2006232291.tif 000004
【図３】
2006232291.tif 000005
【図４】
2006232291.tif 000006
【図５】
2006232291.tif 000007
【図６】
2006232291.tif 000008
【図７】
2006232291.tif 000009
【図８】
2006232291.tif 000010
【図９】
2006232291.tif 000011
【図１０】
2006232291.tif 000012
【図１１】
2006232291.tif 000013
【図１２】
2006232291.tif 000014
【図１３】
2006232291.tif 000015
【図１４】
2006232291.tif 000016
【図１５】
2006232291.tif 000017
【図１６】
2006232291.tif 000018
【図１７】
2006232291.tif 000019